(57)【要約】【課題】  受信電力から増幅率に変換するためのテーブルを更新する。【解決手段】  無線部１２は、ベースバンドの信号と無線周波数の信号間の周波数変換処理、増幅処理、ＡＤまたはＤＡ変換処理等を行う。トラヒック測定部２０４は、端末装置１０と基地局装置３４との間で所定の期間で通信されたトラヒック量を測定する。測定したトラヒック量がしきい値以下になれば、トラヒック測定部２０４は、その旨を制御部２４に通知する。アンプ制御部２０２は、トラヒック測定部２０４で測定したトラヒック量がしきい値以下になった場合に、無線部１２に含まれたＡＧＣで使用される変換テーブルを更新する。【選択図】  図１
2005102074.tif 000002
【特許請求の範囲】
【請求項１】
複数のアンテナと、
受信した信号の強度に対する増幅率を予め規定したテーブルにもとづいて、前記複数のアンテナでそれぞれ受信した複数の信号に対する複数の増幅率をそれぞれ決定し、前記受信した複数の信号を前記決定した複数の増幅率でそれぞれ増幅する複数の増幅部と、
前記増幅した複数の信号をそれぞれ受信処理する受信処理部と、
前記複数のアンテナの用途を送信動作あるいは受信動作に設定する制御部と、
前記送信動作と前記受信動作によって実行される通信のトラヒックに関する量を導出するトラヒック量導出部とを備え、
前記制御部は、前記導出したトラヒックに関する量がしきい値以下の場合に、前記複数のアンテナのうちのひとつのアンテナから送信した信号を他のアンテナで受信するようにアンテナ単位で送信動作と受信動作を設定し、
前記複数の増幅部は、前記他のアンテナで受信した信号にもとづいて前記テーブルに規定された受信した信号の強度に対する増幅率をそれぞれ更新することを特徴とする無線装置。
【請求項２】
前記制御部は、前記導出したトラヒックに関する量がしきい値以下の場合に、前記送信動作に設定したひとつのアンテナから送信すべき信号の強度を変化させ、
前記複数の増幅部は、変化すべき受信した信号の強度のそれぞれの値に対して増幅率を決定することによって、前記テーブルに規定された受信した信号の強度に対する増幅率をそれぞれ更新することを特徴とする請求項１に記載の無線装置。
【請求項３】
前記制御部は、前記導出したトラヒックに関する量がしきい値以下の場合に、前記複数のアンテナのうちの送信動作をすべきアンテナと受信動作をすべきアンテナを所定のタイミングで変更しながら設定し、
前記複数の増幅部は、受信した信号の強度に対する増幅率を予め規定したテーブルをそれぞれ有しており、前記受信動作をすべきアンテナで受信した信号にもとづいて当該アンテナと接続された増幅部の前記テーブルに規定された受信した信号の強度に対する増幅率をそれぞれ更新することを特徴とする請求項１または２に記載の無線装置。
【請求項４】
前記トラヒック量導出部は、前記通信のトラヒックに関する量として、前記複数のアンテナを介して、前記送信動作と前記受信動作によって所定期間で通信されるトラヒック量を導出することを特徴とする請求項１から３のいずれかに記載の無線装置。
【請求項５】
前記制御部は、所定期間のフレームを複数のチャネルに分割し、前記複数のチャネルのそれぞれに対して、前記送信動作、前記受信動作、非通信動作のいずれかを設定し、
前記トラヒック量導出部は、前記通信のトラヒックに関する量として、前記所定期間に対する前記送信動作と前記受信動作が実行される期間の比率を導出することを特徴とする請求項１から３のいずれかに記載の無線装置。
【請求項６】
前記複数のアンテナを介して通信可能な端末装置を管理する管理部をさらに備え、
前記トラヒック量導出部は、前記通信のトラヒックに関する量として、前記管理部で管理した端末装置の台数を導出することを特徴とする請求項１から３のいずれかに記載の無線装置。
【請求項７】
通信のために送信動作あるいは受信動作に設定されるべき複数のアンテナによって通信されたトラヒックに関する量がしきい値以下の場合に、前記複数のアンテナのうちのひとつのアンテナから送信した信号を他のアンテナで受信することによって、前記複数のアンテナで受信した複数の信号をそれそれ信号の強度に応じて増幅するための増幅率を更新することを特徴とするキャリブレーション方法。
【請求項８】
受信した信号の強度に対する増幅率を予め規定したメモリ上のテーブルにもとづいて、複数のアンテナでそれぞれ受信した複数の信号に対する複数の増幅率をそれぞれ決定し、前記受信した複数の信号を前記決定した複数の増幅率でそれぞれ増幅するステップと、
前記増幅した複数の信号をそれぞれ受信処理するステップと、
前記複数のアンテナの用途を送信動作あるいは受信動作に設定するステップと、
前記送信動作と前記受信動作によって実行される通信のトラヒックに関する量を導出し、メモリに記憶するステップと、
前記メモリに記憶したトラヒックに関する量が予め記憶したしきい値以下の場合に、前記複数のアンテナのうちのひとつのアンテナから送信した信号を他のアンテナで受信するようにアンテナ単位で送信動作と受信動作を設定するステップと、
前記他のアンテナで受信した信号にもとづいて前記メモリ上のテーブルに規定された受信した信号の強度に対する増幅率を更新するステップと、
をコンピュータに実行させるためのプログラム。
【発明の詳細な説明】
【技術分野】
【０００１】
本発明は、キャリブレーション技術に関し、特に受信した電力に対する増幅率の設定を示したテーブルを生成するためのキャリブレーション方法およびそれを利用した無線装置に関する。
【背景技術】
【０００２】
無線装置で受信した信号の電力は、一般的に伝搬損失やフェージング伝搬路等の電波伝搬状況の変動によって変動する。無線装置が受信した信号をアナログ／デジタル変換器によってデジタル化した後に信号処理する場合、受信した信号の振幅が、アナログ／デジタル変換器のダイナミックレンジの範囲内になるように、増幅あるいは減衰させるべきである。受信した信号の大きさに応じて増幅器の増幅率を自動的に調節する処理は、ＡＧＣ（Ａｕｔｏｍａｔｉｃ  Ｇａｉｎ  Ｃｏｎｔｒｏｌ）と呼ばれる。
【０００３】
このようなＡＧＣの処理は、フィードバック処理とフィードフォワード処理に分類できる。フィードバック処理は、主として連続的に信号が受信される場合に使用され、１フレーム過去の受信電力が、受信電力の最適値よりも大きければ、増幅器の増幅率を当該フレームでの増幅率よりも小さくし、一方、１フレーム過去の受信電力が、受信電力の最適値より小さければ、増幅器の増幅率を当該フレームでの増幅率よりも大きくする。フィードフォワード処理は、制御チャネルのように連続的でない信号の場合や、急激な受信信号の電力の変動があった場合に主として使用され、受信したフレーム内の信号の情報のみで当該フレームでの増幅器の増幅率を決定する。
【０００４】
フィードバック処理での増幅率の初期値は、１フレーム過去の受信電力から設定できるが、フィードフォワード処理では、設定できないため、ＡＧＣの処理結果の影響を受けない受信電力値、例えばＲＳＳＩを測定し、ＲＳＳＩを増幅率に変換するためのテーブル（以下、「変換テーブル」という）にもとづいて、現在の受信電力から決定した増幅率を初期値に設定している。以上の処理で、ＡＧＣを正しく動作させるためには、受信電力を正確に測定し、正確な変換テーブルにもとづいて測定結果を増幅率に変更すべきである（例えば、特許文献１参照。）。
【特許文献１】特開平５−６３６６３号公報
【発明の開示】
【発明が解決しようとする課題】
【０００５】
変換テーブルは、増幅器のハードウエアの特性による影響を受けやすく、ハードウエア構成や使用部品の変更によって、変換テーブルを変更すべきである。また、同一のハードウエア構成であっても、個体差が大きければ変換テーブルを変更すべきである。さらに、ＲＳＳＩを測定するための回路は、温度変化や経年変化の影響を受けるため、変換テーブルの変更が必要とされる場合もある。
【０００６】
本発明はこうした状況に鑑みてなされたものであり、その目的は、通信処理が実行されている状況下で、受信電力を増幅率に変更するためのテーブルを更新するためのキャリブレーション技術およびそれを利用した無線技術を提供することにある。
【課題を解決するための手段】
【０００７】
本発明のある態様は、無線装置である。この装置は、複数のアンテナと、受信した信号の強度に対する増幅率を予め規定したテーブルにもとづいて、複数のアンテナでそれぞれ受信した複数の信号に対する複数の増幅率をそれぞれ決定し、受信した複数の信号を決定した複数の増幅率でそれぞれ増幅する複数の増幅部と、増幅した複数の信号をそれぞれ受信処理する受信処理部と、複数のアンテナの用途を送信動作あるいは受信動作に設定する制御部と、送信動作と受信動作によって実行される通信のトラヒックに関する量を導出するトラヒック量導出部とを備える。この装置において、制御部は、導出したトラヒックに関する量がしきい値以下の場合に、複数のアンテナのうちのひとつのアンテナから送信した信号を他のアンテナで受信するようにアンテナ単位で送信動作と受信動作を設定し、複数の増幅部は、他のアンテナで受信した信号にもとづいてテーブルに規定された受信した信号の強度に対する増幅率をそれぞれ更新してもよい。
【０００８】
制御部は、導出したトラヒックに関する量がしきい値以下の場合に、送信動作に設定したひとつのアンテナから送信すべき信号の強度を変化させ、複数の増幅部は、変化すべき受信した信号の強度のそれぞれの値に対して増幅率を決定することによって、テーブルに規定された受信した信号の強度に対する増幅率をそれぞれ更新してもよい。
以上の装置により、通信を行っている割合が小さい場合に、増幅率を更新するため、通信に及ぼす影響が少なく、複数のアンテナ間で送信と受信を行うため、無線装置だけで処理である。
【０００９】
本発明の別の態様は、キャリブレーション方法である。この方法は、通信のために送信動作あるいは受信動作に設定されるべき複数のアンテナによって通信されたトラヒックに関する量がしきい値以下の場合に、複数のアンテナのうちのひとつのアンテナから送信した信号を他のアンテナで受信することによって、複数のアンテナで受信した複数の信号をそれそれ信号の強度に応じて増幅するための増幅率を更新する。
【００１０】
本発明のさらに別の態様も、キャリブレーション方法である。この方法は、受信した信号の強度に対する増幅率を予め規定したテーブルにもとづいて、複数のアンテナでそれぞれ受信した複数の信号に対する複数の増幅率をそれぞれ決定し、受信した複数の信号を決定した複数の増幅率でそれぞれ増幅するステップと、増幅した複数の信号をそれぞれ受信処理するステップと、複数のアンテナの用途を送信動作あるいは受信動作に設定するステップと、送信動作と受信動作によって実行される通信のトラヒックに関する量を導出するステップと、トラヒックに関する量が予め記憶したしきい値以下の場合に、複数のアンテナのうちのひとつのアンテナから送信した信号を他のアンテナで受信するようにアンテナ単位で送信動作と受信動作を設定するステップと、他のアンテナで受信した信号にもとづいてテーブルに規定された受信した信号の強度に対する増幅率を更新するステップとを備える。
【００１１】
送信動作あるいは受信動作に設定するステップは、導出したトラヒックに関する量がしきい値以下の場合に、送信動作に設定したひとつのアンテナから送信すべき信号の強度を変化させ、増幅率を更新するステップは、変化すべき受信した信号の強度のそれぞれの値に対して増幅率を決定することによって、テーブルに規定された受信した信号の強度に対する増幅率をそれぞれ更新してもよい。
【００１２】
送信動作あるいは受信動作に設定するステップは、導出したトラヒックに関する量がしきい値以下の場合に、複数のアンテナのうちの送信動作をすべきアンテナと受信動作をすべきアンテナを所定のタイミングで変更しながら設定し、増幅率を更新するステップは、受信した信号の強度に対する増幅率を予め規定したテーブルをそれぞれ有しており、受信動作をすべきアンテナで受信した信号にもとづいて当該アンテナと接続された増幅部のテーブルに規定された受信した信号の強度に対する増幅率をそれぞれ更新してもよい。
【００１３】
トラヒックに関する量を導出するステップは、通信のトラヒックに関する量として、複数のアンテナを介して、送信動作と受信動作によって所定期間で通信されるトラヒック量を導出してもよい。送信動作あるいは受信動作に設定するステップは、所定期間のフレームを複数のチャネルに分割し、複数のチャネルのそれぞれに対して、送信動作、受信動作、非通信動作のいずれかを設定し、トラヒックに関する量を導出するステップは、通信のトラヒックに関する量として、所定期間に対する送信動作と受信動作が実行される期間の比率を導出してもよい。複数のアンテナを介して通信可能な端末装置を管理するステップをさらに備え、トラヒックに関する量を導出するステップは、通信のトラヒックに関する量として、端末装置の台数を導出してもよい。
【００１４】
本発明のさらに別の態様は、プログラムである。このプログラムは、受信した信号の強度に対する増幅率を予め規定したメモリ上のテーブルにもとづいて、複数のアンテナでそれぞれ受信した複数の信号に対する複数の増幅率をそれぞれ決定し、受信した複数の信号を決定した複数の増幅率でそれぞれ増幅するステップと、増幅した複数の信号をそれぞれ受信処理するステップと、複数のアンテナの用途を送信動作あるいは受信動作に設定するステップと、送信動作と受信動作によって実行される通信のトラヒックに関する量を導出し、メモリに記憶するステップと、メモリに記憶したトラヒックに関する量が予め記憶したしきい値以下の場合に、複数のアンテナのうちのひとつのアンテナから送信した信号を他のアンテナで受信するようにアンテナ単位で送信動作と受信動作を設定するステップと、他のアンテナで受信した信号にもとづいてメモリ上のテーブルに規定された受信した信号の強度に対する増幅率を更新するステップとをコンピュータに実行させる。
【００１５】
送信動作あるいは受信動作に設定するステップは、導出したトラヒックに関する量がしきい値以下の場合に、送信動作に設定したひとつのアンテナから送信すべき信号の強度を変化させ、増幅率を更新するステップは、変化すべき受信した信号の強度のそれぞれの値に対して増幅率を決定することによって、テーブルに規定された受信した信号の強度に対する増幅率をそれぞれ更新してもよい。
【００１６】
送信動作あるいは受信動作に設定するステップは、導出したトラヒックに関する量がしきい値以下の場合に、複数のアンテナのうちの送信動作をすべきアンテナと受信動作をすべきアンテナを所定のタイミングで変更しながら設定し、増幅率を更新するステップは、受信した信号の強度に対する増幅率を予め規定したテーブルをそれぞれ有しており、受信動作をすべきアンテナで受信した信号にもとづいて当該アンテナと接続された増幅部のテーブルに規定された受信した信号の強度に対する増幅率をそれぞれ更新してもよい。
【００１７】
トラヒックに関する量を導出し、メモリに記憶するステップは、通信のトラヒックに関する量として、複数のアンテナを介して、送信動作と受信動作によって所定期間で通信されるトラヒック量を導出してもよい。送信動作あるいは受信動作に設定するステップは、所定期間のフレームを複数のチャネルに分割し、複数のチャネルのそれぞれに対して、送信動作、受信動作、非通信動作のいずれかを設定し、トラヒックに関する量を導出し、メモリに記憶するステップは、通信のトラヒックに関する量として、所定期間に対する送信動作と受信動作が実行される期間の比率を導出してもよい。複数のアンテナを介して通信可能な端末装置を管理するステップをさらに備え、トラヒックに関する量を導出し、メモリに記憶するステップは、通信のトラヒックに関する量として、端末装置の台数を導出してもよい。
【００１８】
なお、以上の構成要素の任意の組合せ、本発明の表現を方法、装置、システム、記録媒体、コンピュータプログラムなどの間で変換したものもまた、本発明の態様として有効である。
【発明の効果】
【００１９】
本発明によれば、通信処理が実行されている状況下で、受信電力を増幅率に変更するためのテーブルを更新できる。
【発明を実施するための最良の形態】
【００２０】
本発明を具体的に説明する前に、概要を述べる。本発明の実施例は、簡易型携帯電話システムの基地局装置に関する。当該基地局装置は、複数のアンテナを備えており、さらにそれぞれのアンテナに対応したＡＧＣを備える。ＡＧＣは、フィードフォワードモードにおいて、変換テーブルにもとづいて増幅率の初期値を設定してから動作する。当該変換テーブルは基地局装置の動作とともに、温度特性の変化やアンプの経年変化によって、実際に適した増幅率を提供できなくなる。そのため、受信した信号の正確な処理を保持するためには、当該変換テーブルを適宜更新する方が好ましい。しかしながら、基地局装置が動作している場合に変換テーブルを変更すれば、端末装置との通信に悪影響を及ぼすおそれがある。
【００２１】
そこで、本実施例に係る基地局装置は、端末装置間の通信のトラヒックを測定しており、測定したトラヒックが低くなった場合に、変換テーブルを更新する。変換テーブルの更新は、複数のアンテナのうちのひとつから所定の信号を送信し、残りのアンテナが当該信号を受信することによってなされる。
【００２２】
図１は、実施例に係る通信システム１００の構成を示す。通信システム１００は、端末装置１０、基地局装置３４、ネットワーク３２を含む。端末装置１０は、ベースバンド部２６、モデム部２８、無線部３０、端末用アンテナ１６を含み、基地局装置３４は、基地局用アンテナ１４と総称される第１基地局用アンテナ１４ａ、第２基地局用アンテナ１４ｂ、第Ｎ基地局用アンテナ１４ｎ、無線部１２と総称される第１無線部１２ａ、第２無線部１２ｂ、第Ｎ無線部１２ｎ、信号処理部１８、モデム部２０、ベースバンド部２２、制御部２４、アンプ制御部２０２、トラヒック測定部２０４を含む。また、信号として、デジタル受信信号３００と総称される第１デジタル受信信号３００ａ、第２デジタル受信信号３００ｂ、第Ｎデジタル受信信号３００ｎ、デジタル送信信号３０２と総称される第１デジタル送信信号３０２ａ、第２デジタル送信信号３０２ｂ、第Ｎデジタル送信信号３０２ｎ、合成信号３０４、分離前信号３０８、信号処理部制御信号３１０、無線部制御信号３１８、増幅部制御信号４１０、ＡＧＣ制御信号４１２を含む。
【００２３】
基地局装置３４のベースバンド部２２は、ネットワーク３２とのインターフェースであり、端末装置１０のベースバンド部２６は、端末装置１０と接続したＰＣや、端末装置１０内部のアプリケーションとのインターフェースであり、それぞれ通信システム１００で伝送の対象となる情報信号の送受信処理を行う。また、誤り訂正や自動再送処理がなされてもよいが、ここではこれらの説明を省略する。
【００２４】
基地局装置３４のモデム部２０、端末装置１０のモデム部２８は、変調処理として、キャリアを送信したい情報信号で変調して、送信信号を生成するが、ここでは、変調方式として、π／４シフトＱＰＳＫ（Ｑｕａｄｒａｔｕｒｅ  Ｐｈａｓｅ  Ｓｈｉｆｔ  Ｋｅｙｉｎｇ）を対象とする。また、復調処理として、受信信号を遅延検波して、送信された情報信号を再生する。
【００２５】
信号処理部１８は、アダプティブアレイアンテナによる送受信処理に必要な信号処理を行う。
基地局装置３４の無線部１２、端末装置１０の無線部３０は、信号処理部１８、モデム部２０、ベースバンド部２２、ベースバンド部２６、モデム部２８で処理されるベースバンドの信号と無線周波数の信号間の周波数変換処理、増幅処理、ＡＤまたはＤＡ変換処理等を行う。
【００２６】
基地局装置３４の基地局用アンテナ１４、端末装置１０の端末用アンテナ１６は、無線周波数の信号を送受信処理する。アンテナの指向性は任意でよく、基地局用アンテナ１４のアンテナ数はＮとされる。
トラヒック測定部２０４は、端末装置１０と基地局装置３４との間で所定の期間で通信されたトラヒック量を測定する。測定したトラヒック量がしきい値以下になれば、トラヒック測定部２０４は、その旨を制御部２４に通知する。なお、ここでは、ベースバンドでのトラヒック量を測定する。
【００２７】
アンプ制御部２０２は、トラヒック測定部２０４で測定したトラヒック量がしきい値以下になった場合に、無線部１２に含まれたＡＧＣで使用される変換テーブルを更新する。更新の処理では、ひとつの基地局用アンテナ１４を送信に設定し、当該基地局用アンテナ１４から送信される信号の電力を段階的に変化させるために、無線部１２に含まれた増幅部を増幅部制御信号４１０によって制御する。一方、更新の対象となる変換テーブルを有したＡＧＣに対しては、ＡＧＣ制御信号４１２によって、処理の開始を通知する。
【００２８】
制御部２４は、無線部１２、信号処理部１８、モデム部２０、ベースバンド部２２、アンプ制御部２０２のタイミング等を制御する。
この構成は、ハードウエア的には、任意のコンピュータのＣＰＵ、メモリ、その他のＬＳＩで実現でき、ソフトウエア的にはメモリのロードされた予約管理機能のあるプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００２９】
図２は、実施例に係るバーストフォーマットの構成を示す。バーストの先頭から４シンボルの間に、タイミング同期に使用するためのプリアンブルが、それに続く８シンボルの間に、ユニークワードが配置されている。プリアンブルとユニークワードは、端末装置１０や基地局装置３４にとって既知であるため、後述するトレーニング信号としても使用できる。
【００３０】
図３は、第１無線部１２ａの構成を示す。第１無線部１２ａは、スイッチ部１４０、受信部４２、送信部４４を含む。さらに、受信部４２は、周波数変換部１４６、ＡＧＣ１４８、直交検波部１５０、ＡＤ変換部１５２を含み、送信部４４は、増幅部１６４、周波数変換部１５６、直交変調部１５８、ＤＡ変換部１６０を含む。
【００３１】
スイッチ部１４０は、図示しない制御部２４からの無線制御信号３１８にもとづいて、受信部４２と送信部４４に対する信号の入出力を切りかえる。すなわち、送信時には送信部４４からの信号を選択し、受信時には受信部４２への信号を選択する。
受信部４２の周波数変換部１４６と送信部４４の周波数変換部１５６は、対象とする信号に対して無線周波数と中間周波数間の周波数変換を行う。
【００３２】
直交検波部１５０は、中間周波数の信号を直交検波して、ベースバンドのアナログ信号を生成する。一方、直交変調部１５８は、ベースバンドのアナログ信号を直交変調して、中間周波数の信号を生成する。
ＡＧＣ１４８は、ベースバンドのアナログ信号の振幅を後述のＡＤ変換部１５２のダイナミックレンジ内の振幅にするために、利得を自動的に制御する。前述のごとくＡＧＣ１４８は、内部に含んだ変換テーブルをＡＧＣ制御信号４１２の指示にもとづいて更新する。
【００３３】
ＡＤ変換部１５２は、ベースバンドのアナログ信号をデジタル信号に変換し、ＤＡ変換部１６０は、ベースバンドのデジタル信号をアナログ信号に変換する。
増幅部１６４は、送信すべき無線周波数の信号を増幅する。前述のごとく増幅部１６４は、増幅部制御信号４１０の指示にもとづいて増幅率を変化、すなわち送信電力を変化させる。
【００３４】
図４は、ＡＧＣ１４８の構成を示す。ＡＧＣ１４８は、アンプ２１０、ＦＦ検出部２１２、ＦＦ設定部２１４、テーブル２２２、スイッチ部２１６、ＦＢ検出部２１８、ＦＢ設定部２２０、書込部２２４を含む。
アンプ２１０は、入力した信号を増幅して出力する。増幅率は、後述のスイッチ部２１６を介して設定される。なお、アンプ２１０は、後述のＦＦ検出部２１２、ＦＦ設定部２１４、テーブル２２２と組み合わされてフィードフォワードＡＧＣ（以下、「ＦＦ」という）を構成し、一方、アンプ２１０は、後述のＦＢ検出部２１８、ＦＢ設定部２２０と組み合わされてフィードバックＡＧＣ（以下、「ＦＢ」という）を構成する。ＦＦとＦＢは、状況に応じていずれかが選択されて、入力した信号を増幅する。この選択については、後述する。
【００３５】
ＦＦ検出部２１２は、入力した信号の電力、ここではＲＳＳＩを測定し、測定結果を出力する。
ＦＦ設定部２１４は、ＦＦで動作する場合に、テーブル２２２にもとづいて、ＦＦ検出部２１２から入力されたＲＳＳＩを増幅率に変換し、当該増幅率をアンプ２１０の増幅率に設定する。
スイッチ部２１６は、ＦＦで動作する場合にＦＦ設定部２１４から出力された増幅率でアンプ２１０の増幅率を設定し、ＦＢで動作する場合にＦＢ設定部２２０から出力された増幅率でアンプ２１０の増幅率を設定する。
【００３６】
ＦＢ検出部２１８は、アンプ２１０から出力された信号の電力を検出する。
ＦＢ設定部２２０は、ＦＢ検出部２１８で検出された電力が、予め設定したしきい値に近くなるように増幅率を調節する。調節方法については後述する。ＦＢ動作の場合に、スイッチ部２１６に出力する。
書込部２２４は、テーブル２２２に記憶された変換テーブルを更新するために、ＦＢ検出部２１８で検出した電力が所定の値になる場合のＦＢ設定部２２０で設定された増幅率の値を、ＦＦ検出部２１２で検出したＲＳＳＩと対応付けてテーブル２２２に書き込む。なお、変換テーブル更新の指示は、ＡＧＣ制御信号４１２によってなされる。
【００３７】
図５は、テーブル２２２で記憶された受信電力対増幅率のデータ構造を示す。図示のごとく、ＲＳＳＩと増幅率を対応付けて記憶している。なお、ＲＳＳＩの単位はｄＢμＶであり、５ｄＢ間隔でそれに対応した増幅率を記憶している。ＦＦ検出部２１２で検出したＲＳＳＩがテーブル２２２に設定されていない場合、ＦＦ設定部２１４がテーブル２２２で設定された値にもとづいて、内挿補間等によって計算する。
【００３８】
図６は、信号処理部１８の構成を示す。信号処理部１８は、合成部６０、受信ウエイトベクトル計算部６８、参照信号生成部７０、分離部７２、送信ウエイトベクトル設定部７６を含む。また、合成部６０は、乗算部６２と総称される第１乗算部６２ａ、第２乗算部６２ｂ、第Ｎ乗算部６２ｎ、加算部６４を含み、分離部７２は、乗算部７４と総称される第１乗算部７４ａ、第２乗算部７４ｂ、第Ｎ乗算部７４ｎを含む。
【００３９】
また信号として、参照信号３０６、受信ウエイトベクトル信号３１２と総称される第１受信ウエイトベクトル信号３１２ａ、第２受信ウエイトベクトル信号３１２ｂ、第Ｎ受信ウエイトベクトル信号３１２ｎ、最終送信ウエイトベクトル信号３１４と総称される第１最終送信ウエイトベクトル信号３１４ａ、第２最終送信ウエイトベクトル信号３１４ｂ、第Ｎ最終送信ウエイトベクトル信号３１４ｎを含む。
【００４０】
受信ウエイトベクトル計算部６８は、デジタル受信信号３００と参照信号３０６から、デジタル受信信号３００の重み付けに必要な受信ウエイトベクトル信号３１２を、ＲＬＳ（Ｒｅｃｕｒｓｉｖｅ  Ｌｅａｓｔ  Ｓｑｕａｒｅｓ）アルゴリズムやＬＭＳ（Ｌｅａｓｔ  Ｍｅａｎ  Ｓｑｕａｒｅｓ）アルゴリズムなどの適応アルゴリズムによって計算する。
【００４１】
合成部６０は、乗算部６２において、デジタル受信信号３００を受信ウエイトベクトル信号３１２で重み付けした後、それらを加算部６４で加算して、合成信号３０４を出力する。
【００４２】
参照信号生成部７０は、トレーニング期間中は予め記憶したトレーニング信号を参照信号３０６として出力する。またトレーニング期間後は合成信号３０４を予め規定しているしきい値で判定して、その結果を参照信号３０６として出力する。なお、判定は硬判定である必要はなく、軟判定でもよい。
【００４３】
送信ウエイトベクトル設定部７６は、分離前信号３０８の重み付けに必要な最終送信ウエイトベクトル信号３１４を、受信ウエイトベクトル信号３１２から推定する。ここでは、受信ウエイトベクトル信号３１２と同一の値に設定するものとする。
分離部７２は、乗算部７４において、分離前信号３０８を最終送信ウエイトベクトル信号３１４で重み付けし、デジタル送信信号３０２を出力する。
【００４４】
図７は、通信処理とキャリブレーション処理を示すフローチャートである。トラヒック測定部２０４は、通信中のトラヒック量を測定する。トラヒック量がしきい値以下でなければ（Ｓ１０のＮ）、ＡＧＣ１４８は受信した信号を増幅する。受信が非連続受信の場合（Ｓ１２のＹ）、ＡＧＣ１４８はＦＦで動作するため、ＦＦ設定部２１４は、テーブル２２２にもとづいてＦＦ検出部２１２で検出したＲＳＳＩを増幅率に変換してから、アンプ２１０の増幅率の初期値に設定する（Ｓ１４）。また、ＦＢ検出部２１８は、受信レベルを測定する（Ｓ１６）。ＦＢ設定部２２０は、測定値と予め定めた目標値を比較して（Ｓ１８）、以下の通り比較結果ｃｏｍｐを計算する。
（数１）
ｃｏｍｐ  ＝  Ｒ−ｇｏａｌ
【００４５】
ここで、ＲはＦＢ検出部２１８で測定した受信レベルであり、ｇｏａｌは予め定めた目標値である。ＦＢ設定部２２０は、増幅率ＲＸＬＣを次の通り制御する（Ｓ２０）。
（数２）
ＲＸＬＣ  ＝  ＲＸＬＣ＋Ｋ×ｃｏｍｐ
ここで、Ｋは所定の定数である。このように設定した増幅率で増幅した信号の電力値と目標値の差がしきい値より小さければ（Ｓ２２のＹ）、処理を終了する。設定された増幅率は、次のバーストで使用すべきＦＢの増幅率に使用される。一方、電力値と目標値の差がしきい値より小さくなければ（Ｓ２２のＮ）、前述の処理を繰り返す。
【００４６】
受信が非連続受信でなく（Ｓ１２のＮ）、かつ受信レベルの急激な変化がなければ（Ｓ２４のＹ）、ＡＧＣ１４８は、ＦＢで動作するため、ＦＢ設定部２２０は、過去に計算した増幅率をアンプ２１０の増幅率に設定する（Ｓ２６）。また、ＦＢ検出部２１８は、受信レベルを測定する（Ｓ２８）。ＦＢ設定部２２０は、測定値と予め定めた目標値を比較して（Ｓ３０）、比較結果を計算し、当該計算結果に基づいて、次のバーストで使用すべき増幅率を決定する（Ｓ３２）。なお、受信レベルの急激な変化があれば（Ｓ２４のＮ）、ＡＧＣ１４８はＦＦで動作する。
【００４７】
トラヒック量がしきい値以下であり（Ｓ１０のＹ）、かつテーブル作成の指示が制御部２４からあれば（Ｓ３４のＹ）、テーブル２２２のテーブルを更新する。基地局用アンテナ１４のひとつが所定の電力の信号を送信する（Ｓ３６）。信号を受信したＦＢ設定部は、前述のごとく増幅率を決定する（Ｓ３８）。予め定めた送信電力の信号をすべて送信していなければ（Ｓ４０のＮ）、送信電力を変更して前述の処理を繰り返す。予め定めた送信電力の信号をすべて送信していれば（Ｓ４０のＹ）、信号を送信する基地局用アンテナ１４を変更する。すべての基地局用アンテナ１４に対応したテーブル２２２で更新が終了していなければ（Ｓ４２のＮ）、信号を送信する基地局用アンテナ１４を変更する。一方、全基地局用アンテナ１４に対応したテーブル２２２で更新が終了していれば（Ｓ４２のＹ）、書込部２２４はＲＳＳＩと増幅率の対応によって、テーブル２２２を更新する（Ｓ４４）。なお、テーブル作成の指示がなければ（Ｓ３４のＮ）、前述の更新処理を実行しない。
【００４８】
本発明の実施例によれば、通信のトラヒックが少ない場合に変換テーブルの更新を行うため、端末装置との通信に影響を及ぼさない。また、複数備えたアンテナのひとつから送信した信号を他のアンテナで受信して、変換テーブルを更新するため、基地局装置だけで処理が完結する。
【００４９】
以上、本発明を実施の形態をもとに説明した。この実施の形態は例示であり、それらの各構成要素や各処理プロセスの組合せにいろいろな変形例が可能なこと、またそうした変形例も本発明の範囲にあることは当業者に理解されるところである。
【００５０】
本発明の実施例において、通信システム１００は、簡易型携帯電話システムとして説明した。しかしこれに限らず、通信システム１００は、簡易型携帯電話システム以外の無線通信システムであってもよい。例えば、簡易型携帯電話システムと同じくＴＤＭＡ（Ｔｉｍｅ  Ｄｉｖｉｓｉｏｎ  Ｍｕｌｔｉｐｌｅ  Ａｃｃｅｓｓ）の携帯電話システム、ＣＤＭＡ（Ｃｏｄｅ  Ｄｉｖｉｓｉｏｎ  Ｍｕｌｔｉｐｌｅ  Ａｃｃｅｓｓ）の第３世代携帯電話システム、ＣＳＭＡ（Ｃａｒｒｉｅｒ  Ｓｅｎｓｅ  Ｍｕｌｔｉｐｌｅ  Ａｃｃｅｓｓ）の無線ＬＡＮ，ＳＤＭＡ（Ｓｐａｃｅ  Ｄｉｖｉｓｉｏｎ  Ｍｕｌｔｉｐｌｅ  Ａｃｃｅｓｓ）の通信システムである。本変形例によれば、様々な通信システムに本発明を適用可能である。つまり、ＡＧＣ１４８が使用されていればよい。
【００５１】
本発明の実施例において、基地局装置３４に含まれたＡＧＣ１４８を対象に説明した。しかしこれにこれに限らず例えば、端末装置１０に含まれたＡＧＣ１４８が、実施例での変換テーブルの更新処理を実行してもよい。本変形例によれば、様々な装置に本発明を適用可能である。つまり、複数の基地局用アンテナ１４とそれに対応したＡＧＣ１４８を備えていればよい。
【００５２】
本発明の実施例において、トラヒック測定部２０４はトラヒック量を測定し、トラヒック量がしきい値以下の場合にテーブル２２２の更新処理を実行した。しかしこれに限らず例えば、トラヒック測定部２０４が、所定期間のフレームを分割した複数のチャネルが、通信に使用される割合を計算し、当該割合が、しきい値以下の場合にテーブル２２２の更新処理を実行してもよい。また、制御部２４が、通信可能な端末装置１０の数を管理しておき、当該台数が、しきい値以下の場合にテーブル２２２の更新処理を実行してもよい。本変形例によれば、トラヒック量の管理が容易になる。つまり、端末装置１０と通信している割合が把握できればよい。
【００５３】
本発明の実施例において、信号処理部１８は、デジタル受信信号３００、デジタル送信信号３０２に対して、アダプティブアレイ信号処理を行っている。しかしこれに限らず例えば、信号処理部１８は、受信ダイバーシティ処理や送信ダイバーシティ処理を行ってもよい。本変形例によれば、信号処理部１８の処理量を低減できる。つまり、基地局用アンテナ１４にそれぞれ対応したＡＧＣ１４８が、複数あればよい。
【図面の簡単な説明】
【００５４】
【図１】実施例に係る通信システムの構成を示す図である。
【図２】実施例に係るバーストフォーマットの構成を示す図である。
【図３】図１の第１無線部の構成を示す図である。
【図４】図３のＡＧＣの構成を示す図である。
【図５】図４のテーブルで記憶された受信電力対増幅率のデータ構造を示す図である。
【図６】図１の信号処理部の構成を示す図である。
【図７】図１の通信処理とキャリブレーション処理を示すフローチャートである。
【符号の説明】
【００５５】
１０  端末装置、  １２  無線部、  １４  基地局用アンテナ、  １６  端末用アンテナ、  １８  信号処理部、  ２０  モデム部、  ２２  ベースバンド部、  ２４  制御部、  ２６  ベースバンド部、  ２８  モデム部、  ３０  無線部、  ３２  ネットワーク、  ３４  基地局装置、  ４２  受信部、  ４４  送信部、  １００  通信システム、  １４０  スイッチ部、  ６０  合成部、  ６２  乗算部、  ６４  加算部、  ６８  受信ウエイトベクトル計算部、  ７０  参照信号記憶部、  ７２  分離部、  ７４  乗算部、  ７６  送信ウエイトベクトル設定部、  １４６  周波数変換部、  １４８  ＡＧＣ、  １５０  直交検波部、  １５２  ＡＤ変換部、  １５６  周波数変換部、  １５８  直交変調部、  １６０  ＤＡ変換部、  １６４  増幅部、  ２０２  アンプ制御部、  ２０４  トラヒック測定部、  ２１０  アンプ、  ２１２  ＦＦ検出部、  ２１４  ＦＦ設定部、  ２１６  スイッチ部、  ２１８  ＦＢ検出部、  ２２０  ＦＢ設定部、  ２２２  テーブル、  ２２４  書込部、  ３００  デジタル受信信号、  ３０２  デジタル送信信号、  ３０４  合成信号、  ３０６  参照信号、  ３０８  分離前信号、  ３１０  信号処理部制御信号、  ３１２  受信ウエイトベクトル信号、  ３１４  送信ウエイトベクトル信号、  ３１８  無線部制御信号、  ４１０  増幅部制御信号、  ４１２  ＡＧＣ制御信号。
【図１】
2005102074.tif 000003
【図２】
2005102074.tif 000004
【図３】
2005102074.tif 000005
【図４】
2005102074.tif 000006
【図５】
2005102074.tif 000007
【図６】
2005102074.tif 000008
【図７】
2005102074.tif 000009